(57)【要約】【課題】  使用者は使用説明書なしにキムチ冷蔵庫の機能選択を容易に操作することができるキムチ冷蔵庫を提供する。【解決手段】  本発明によるキムチ冷蔵庫は、機能選択情報を貯蔵する第１貯蔵手段と、前記第１貯蔵手段から読み出された機能選択情報を表示するディスプレイ部と使用者の操作により機能選択を入力されるキー入力部を含む操作パネル部とを備えるキムチ冷蔵庫において、前記各機能選択情報に対応する詳細機能選択情報を貯蔵する第２貯蔵手段と、前記第２貯蔵手段から読み出された詳細機能選択情報を出力する音声出力部と、前記キー入力部の操作に基づいて前記ディスプレイ部及び前記音声出力部に機能選択情報及び詳細機能選択情報がそれぞれ表示されるように制御する機能選択制御部とを含む。【選択図】      図３
2004333111.tif 000002
【特許請求の範囲】
【請求項１】
機能選択情報を貯蔵する第１貯蔵手段と、前記第１貯蔵手段から読み出された機能選択情報を表示するディスプレイ部と使用者の操作により機能選択を入力されるキー入力部を含む操作パネル部とを備えるキムチ冷蔵庫において、
前記各機能選択情報に対応する詳細機能選択情報を貯蔵する第２貯蔵手段と、前記第２貯蔵手段から読み出された詳細機能選択情報を出力する音声出力部と、前記キー入力部の操作に基づいて前記ディスプレイ部及び前記音声出力部に機能選択情報及び詳細機能選択情報がそれぞれ表示されるように制御する機能選択制御部とを含むことを特徴とするキムチ冷蔵庫。
【請求項２】
前記機能選択情報は使用者が選択しうる複数の機能及び前記機能のうち、いずれか一つを選択する方法を説明する文句で構成されており、前記詳細機能選択情報は少なくとも前記説明文句を大略的に含み、音声出力可能な形式で貯蔵されていることを特徴とする請求項１に記載のキムチ冷蔵庫。
【請求項３】
前記キー入力部は所望の機能選択のための確認ボタンと、前記所望の機能を選択するように移動可能にする少なくとも一つの移動ボタンとを含み、前記移動ボタンは左側移動ボタン及び右側移動ボタンを含むことを特徴とする請求項２に記載のキムチ冷蔵庫。
【請求項４】
前記ディスプレイ部に表示される複数の機能は、前記キー入力部の前記移動ボタン及び確認ボタンの操作により選択される選択待機状態にあることを特徴とする請求項３に記載のキムチ冷蔵庫。
【請求項５】
前記選択待機状態に該当する機能は所定の周期で点滅されることを特徴とする請求項４に記載のキムチ冷蔵庫。
【請求項６】
前記機能選択情報及び前記詳細機能選択情報はエラーメッセージを含み、前記エラーメッセージは前記ディスプレイ部に表示されている機能選択方法に応じて前記キー入力部が操作されない場合、前記ディスプレイ部及び前記音声出力部に表示／出力されることを特徴とする請求項１及び請求項５のうち、いずれか一項に記載のキムチ冷蔵庫。
【発明の詳細な説明】
【技術分野】
【０００１】
本発明はキムチ冷蔵庫に係り、特に、使用者に高い操作便利性を提供する操作パネル部を有するキムチ冷蔵庫に関する。
【背景技術】
【０００２】
一般に５〜７℃の温度を維持する一般冷蔵庫とは異なり、庫内の温度を０℃に維持するキムチ冷蔵庫は所望のキムチの味を長時間維持させるために開発されたが、最近では熟成技術が追加開発されて温度及び時間などの貯蔵条件と関連した様々な選択が可能になった。
【０００３】
このようなキムチ冷蔵庫は温度感知センサー部から感知された温度と、マイコンで予め設定された温度とを比較して冷媒の供給及び遮断を調節する。予め設定された温度などの貯蔵条件はキムチ冷蔵庫の操作パネルにより選択された機能に対応して予め指定されていることが一般的である。
【０００４】
キムチ冷蔵庫の操作パネルは、図１に示したように、一般に使用者の操作により選択可能な機能を表示する固定ディスプレイ部２と、表示された選択機能を選択入力するように各機能に対応して備えられた入力キー３と、使用者の操作により選択された機能を発光表示するＬＥＤ５とから構成されている。
【０００５】
すなわち、使用者の操作により選択入力されうる機能が固定ディスプレイ部２に半永久的に表示されており、使用者は選択しようとする機能に対応する入力キー３を選択して押すことにより、所望の機能を選択することができる。
【０００６】
しかし、かかる固定ディスプレイ部２に表示される機能は圧縮表現文句又は簡単表示イメージなので、使用者がこれを解読するのには多少の努力又は使用説明書を参照すべき不便があり、誤操作により適宜な貯蔵方法を選択しないことにより食品が変質するか、食べられない状態に至るなどの問題点があった。
【発明の開示】
【発明が解決しようとする課題】
【０００７】
本発明の目的は使用者が使用説明書なしに適宜な機能を選択するように便宜を提供する操作パネル部を備えるキムチ冷蔵庫を提供することにある。
【課題を解決するための手段】
【０００８】
前記目的を達成するために本発明によるキムチ冷蔵庫は、機能選択情報を貯蔵する第１貯蔵手段と、前記第１貯蔵手段から読み出された機能選択情報を表示するディスプレイ部と使用者の操作により機能選択を入力されるキー入力部を含む操作パネル部とを備えるキムチ冷蔵庫において、前記各機能選択情報に対応する詳細機能選択情報を貯蔵する第２貯蔵手段と、前記第２貯蔵手段から読み出された詳細機能選択情報を出力する音声出力部と、前記キー入力部の操作に基づいて前記ディスプレイ部及び前記音声出力部に機能選択情報及び詳細機能選択情報がそれぞれ表示されるように制御する機能選択制御部とを含むことを特徴とする。
【０００９】
ここで、前記機能選択情報は使用者が選択しうる複数の機能及び前記機能のうち、いずれか一つを選択する方法を説明する文句で構成されており、前記詳細機能選択情報は少なくとも前記説明文句を大略的に含み、音声出力可能な形式で貯蔵されていることが好ましい。
【００１０】
さらに、前記キー入力部は所望の機能選択のための確認ボタンと、前記所望の機能を選択するように移動可能にする少なくとも一つの移動ボタンとを含み、前記移動ボタンは左側移動ボタン及び右側移動ボタンを含むことが好ましい。
【００１１】
前記ディスプレイ部に表示される複数の機能は、前記キー入力部の前記移動ボタン及び確認ボタンの操作により選択される選択待機状態にあることが好ましく、前記選択待機状態に該当する機能は所定の周期で点滅されることが効果的である。
【００１２】
さらに、前記機能選択情報及び前記詳細機能選択情報はエラーメッセージを含み、前記エラーメッセージは前記ディスプレイ部に表示されている機能選択方法に応じて前記キー入力部が操作されない場合、前記ディスプレイ部及び前記音声出力部に表示／出力されることが好ましい。
【発明の効果】
【００１３】
上述したように、本発明によれば、キムチ冷蔵庫の操作パネル部のＬＣＤディスプレイ部及びスピーカーのような音声出力部を通じて操作に対するより詳細な案内が提供されることにより、操作をより容易にして使用者が使用説明書なしに適宜な機能を選択するように便宜を提供する。
【発明を実施するための最良の形態】
【００１４】
以下、添付した図面を参照して、本発明に関して詳細に説明する。
【００１５】
図２は本発明によるキムチ冷蔵庫の斜視図である。示したように、キムチ冷蔵庫は前方及び上方向きのドア開口を有する本体１３と、本体１３の前方に設けられてドア開口を開閉する一対の前方ドア１５と、本体１３の上方に設けられてドア開口を開閉する一対の上方ドア１７とを備える。
【００１６】
本体１３は殆ど四角筒状をなし、前方上端部には貯蔵室内に受容されたキムチなどの様々な食べ物の貯蔵方法を選択操作するように操作パネル部１１が備えられている。前方及び上方ドア１５，１７の内部には左/右側及び上/下部貯蔵室が形成されており、各貯蔵室内にはキムチなど食べ物の積置のための貯蔵容器が受容されている。
【００１７】
このようなキムチ冷蔵庫の内部には貯蔵室から隔離された機械室(図示せず)が形成されているが、前記機械室内には冷媒を圧縮する圧縮機と、圧縮機から供給された冷媒を凝縮させる凝縮機などが設けられている。
【００１８】
さらに、貯蔵室の外周壁には電源供給により発熱して各貯蔵室の内部温度を所定の温度に上昇維持させるヒーターと、凝縮機から供給される冷媒を用いて各貯蔵室を冷却させる蒸発器とが設けられている。
【００１９】
左/右側及び上/下部貯蔵室の上部領域には各貯蔵室の温度を感知する温度感知センサー２５が蒸発器の上部領域と隣接するように設けられており、凝縮機と蒸発器との間を連結する冷媒配管上には冷媒の供給及び遮断を調節する冷媒供給バルブ２７が設けられている。
【００２０】
本体１３の一領域には操作パネル部１１で選択された機能及び温度感知センサー２５で感知された温度に基づいて圧縮機、冷媒供給バルブ２７など機器部品の動作を制御する制御部２１が備えられている。
【００２１】
このような構成を含むキムチ冷蔵庫は次のように動作する。すなわち、電源供給部２３を通じて電源が印加され、操作パネル部１１を通じて機能が入力されると、圧縮機は動作を開始して冷媒を圧縮し、圧縮機で圧縮された冷媒は冷媒配管を通じて凝縮機に供給され、凝縮機で凝縮された冷媒は蒸発器へ供給されて各貯蔵室を冷却させる。各貯蔵室を冷却させた後、冷媒は蒸発器から排出されて圧縮機に戻る。
【００２２】
ここで、制御部２１は温度感知センサー２５で感知された各貯蔵室の温度に基づいて冷媒供給バルブ２７を適宜にオン・オフさせて各貯蔵室が適宜な温度で冷却されるように制御する。
【００２３】
図２はキムチ冷蔵庫の概略構成及び動作を説明するために示したものであり、前記前方ドア又は上方ドアの数、他の機器部品の配置及び数などの詳細な事項において、本発明の内容を限定していない。
【００２４】
図３は本発明によるキムチ冷蔵庫の制御ブロック図であり、図４は本発明によるキムチ冷蔵庫の操作パネルの構成例である。示したように、キムチ冷蔵庫は、機能選択情報を貯蔵する第１貯蔵手段３５と、第１貯蔵手段３５から読み出された機能選択情報を表示するディスプレイ部３３と使用者の操作により機能選択を入力されるキー入力部３１を含む操作パネル部１１とを備える。
【００２５】
さらに、本発明によるキムチ冷蔵庫は電源を供給する電源供給部２３と、各貯蔵室の温度を感知する温度感知センサー部２５と、冷媒の供給及び遮断を調節する冷媒供給バルブ部２７と、操作パネル部１１から選択された機能に対応する温度及び/又は時間のような貯蔵条件を確認し、貯蔵条件及び温度感知センサー部２５から感知された温度に基づいて冷媒供給バルブ２７を制御する制御部２１とを備える。
【００２６】
さらに、本発明によるキムチ冷蔵庫は各機能選択情報に対応する詳細機能選択情報を貯蔵する第２貯蔵手段３７と、第２貯蔵手段３７から読み出された詳細機能選択情報を音声出力する音声出力部３９と、キー入力部３１の操作に基づいてディスプレイ部３３及び音声出力部３９に前記機能選択情報及び詳細機能選択情報がそれぞれ表示されるように制御する機能選択制御部３０とをさらに備える。
【００２７】
第１貯蔵手段３５は操作パネル部１１内のディスプレイ部３３に表示される機能選択情報を貯蔵する。
【００２８】
前記機能選択情報は少なくとも使用者が選択しうる複数の機能及び使用説明書なしにより親切に選択方法に対して説明する文句を含む。例えば、機能選択情報が表示されたディスプレイ部が例示されている図５の参照符号５１，５３，５４などのように、ディスプレイ部３３に表示されるイメージ及び文句を含むことができる。さらに、前記機能選択情報は図５の参照符号５５に例示されたようなエラーメッセージを含むこともできる。
【００２９】
操作パネル部１１はディスプレイ部３３とキー入力部３１を含むが、その例は図４に示されている。ディスプレイ部３３は機能選択情報の表示されたディスプレイ部が例示されている図５を参照すれば、第１貯蔵手段３５からの機能選択情報を表示する。
【００３０】
ディスプレイ部３３はＬＣＤで形成されることが好ましく、ディスプレイ部３３に表示される機能選択情報は図５に示したように、順次に配列されることが好ましい。
【００３１】
ここで、いずれか一つの機能を選択すると、これに対して階層的に貯蔵されている下部機能選択情報がディスプレイ部３３に表示される。
【００３２】
さらに、前記表示された機能選択情報は使用者が選択しうる複数の機能で構成されているが、前記複数の機能のうち、いずれか一つは予め指定された周期で点滅することが好ましい。ここで、点滅機能は後述する確認ボタン４３の選択入力により選択される機能に該当するが、このような点滅状態を選択待機状態として定義する。
【００３３】
キー入力部３１には所望の機能選択のための確認ボタン４３、前記所望の機能を選択するように移動可能にする右側移動ボタン４１ａ及び左側移動ボタン４１ｂが備えられている。
【００３４】
ここで、右側移動ボタン４１ａ及び左側移動ボタン４１ｂはディスプレイ部３３に表示された機能のうち、いずれか一つを選択待機状態にあるようにする。例えば、右側移動ボタン４１ａを押すと、現在選択待機状態機能の右側に位置した機能が選択待機状態となり、選択待機状態機能の右側に選択可能な機能が存在しなければ、エラーメッセージを表示するか、ディスプレイ部３３に表示されている機能のうち、最も左側に位置する機能が選択待機状態となるようにすることができる。
【００３５】
第２貯蔵手段３７は各機能選択情報に対応する詳細機能選択情報を貯蔵する。ここで、前記詳細機能選択情報は音声出力可能な形式で貯蔵されることが好ましく、少なくとも前記説明文句を大略的に含むことが好ましい。
【００３６】
例えば、図５の参照符号５６の機能選択情報がディスプレイ部３３に表示される場合、“左側又は右側の移動ボタンを用いて所望の貯蔵機能を選択してください。選択完了後は確認ボタンを押してください。”のようなより親切な操作方法が音声出力可能な形式で貯蔵されることもできる。
【００３７】
さらに、使用者が間違って設定されていない熟成機能を押す場合、エラーメッセージ５５(図５を参照)がディスプレイ部３３に表示されうる。この場合、ディスプレイ部３３には図５の参照符号５５が指示する機能選択情報が表示されることができ、同時に“該当貯蔵室には熟成機能がありません。熟成機能を利用するためには他の貯蔵室を利用してください。”などのようなエラーメッセージが音声出力されるように詳細機能選択情報が貯蔵されることもできる。
【００３８】
音声出力部３９は第２貯蔵手段３７から読み出された詳細機能選択情報を音声出力する機能を行うが、その一例としては本発明によるキムチ冷蔵庫の本体１３に外装又は内蔵される音声処理回路及びスピーカーが好ましく、このような音声処理回路及びスピーカーを備えているオーディオ機器の採用も可能である。
【００３９】
機能選択制御部３０はキー入力部３１の操作に基づいてディスプレイ部３３及び音声出力部３９に前記機能選択情報及び詳細機能選択情報がそれぞれ表示されるように制御するが、同時に前記選択された機能に該当する選択信号を制御部２１に伝え、これに該当する温度、時間などのような貯蔵条件及び温度感知センサー部２５からの温度に基づいて冷媒供給バルブ２７をそれぞれ制御可能にする。
【００４０】
キー入力部３１の操作、すなわち、使用者が確認ボタン４３を選択入力すると、機能選択制御部３０は現在ディスプレイ部３３に表示される機能選択情報と階層的に連結された下部機能選択情報を第１貯蔵手段３５で検索してディスプレイ部３３に表示する。同時に、前記下部機能選択情報に対応する詳細機能選択情報を第２貯蔵手段３７で検索して音声出力部３９を通じて出力する。
【００４１】
ここで、前記機能選択情報及び詳細機能選択情報は別途に又は一つのＤＢで管理されることができ、この対応関係を貯蔵している対応テーブルを別途に備えることもできる。同様に、任意の機能選択情報と階層的に連結された下部機能選択情報の連結関係も別途の階層テーブルを備えて利用することができる。
【００４２】
図５は本発明によるキムチ冷蔵庫の操作パネルの操作例によるディスプレイ部に表示される機能選択情報の例を示した図である。
【００４３】
例えば、操作パネル部１１とキムチ冷蔵庫の機器部品に電源が供給されると、初期画面及びこれに対応する挨拶のような詳細機能選択情報がディスプレイ部３３及び音声出力部３９に表示又は出力される。
【００４４】
一定の時間、例えば、５秒が経過すると、参照符号５１のような機能選択情報がディスプレイ部３３に表示され、“全ての貯蔵室の設定状態を確認してください。左室はキムチ、上室は肉類/魚類、下室はお米/雑穀、右室はキムチの貯蔵状態となっております。”のように貯蔵室の設定状態確認を案内する詳細情報が音声出力部３９を通じて出力される。
【００４５】
仮に、使用者がある貯蔵室の設定条件を変更するために該当貯蔵室を選択するか、間違ったボタンを押すと、参照符号５２のようなエラーメッセージがディスプレイ部３３に表示され、“ロック機能が設定されているので、まず貯蔵室を選択してください。”のような操作案内を行う詳細機能情報が音声出力部３９を通じて出力される。
【００４６】
次に、参照符号５３のような機能選択情報がディスプレイ部３３に表示され、“操作パネルの左側にある貯蔵室選択ボタンを押してください。”のような詳細機能情報が音声出力部３９を通じて出力される。
【００４７】
仮に、左室選択ボタンを押すと、参照符号５４のような機能選択情報がディスプレイ部３３に表示され、“左側移動ボタン又は右側移動ボタンを用いて貯蔵/熟成機能のうち、所望の機能を選択してください。選択完了後は確認ボタンを押してください。”のように操作を詳細に案内する詳細機能情報が音声出力部３９を通じて出力される。
【００４８】
使用者が熟成機能を選択したが、該当貯蔵室に熟成機能が設定されていない場合には、エラーメッセージ５５のような機能選択情報がディスプレイ部３３に表示され、“該当貯蔵室には熟成機能がありません。他の貯蔵室を利用してください。”のような詳細機能情報が音声出力部３９を通じて出力される。
【００４９】
使用者が貯蔵機能を選択し、確認ボタン４３を押すと、参照符号５６のような機能選択情報がディスプレイ部３３に表示され、“左側移動ボタン又は右側移動ボタンを用いて所望の貯蔵機能を選択してください。選択完了後は確認ボタンを押してください。”のような詳細機能情報が音声出力部３９を通じて出力される。
【００５０】
使用者がキムチ(中)を選択すると、参照符号５７のような機能選択情報がディスプレイ部３３に表示され、“左室キムチ(中)貯蔵状態を設定しました。５秒後に全ての貯蔵室の表示状態に変換されます。”のような詳細機能情報が音声出力部３９を通じて出力され、５秒後に参照符号５８のような機能選択情報がディスプレイ部３３に表示される。
【００５１】
このような構成により、機能選択情報及び詳細機能選択情報が貯蔵されており、前記機能選択情報がディスプレイ部に表示され、前記機能選択情報に比べてより詳細な操作案内などの内容を含んでいる詳細機能選択情報が音声出力されることにより、キムチ冷蔵庫の操作をより容易にして使用者が使用説明書なしに適宜な機能を選択するように便宜を提供する。
【図面の簡単な説明】
【００５２】
【図１】従来の技術によるキムチ冷蔵庫の操作パネルの構成図である。
【図２】本発明によるキムチ冷蔵庫の概略的な斜視図である。
【図３】本発明によるキムチ冷蔵庫の制御ブロック図である。
【図４】本発明によるキムチ冷蔵庫の操作パネルの構成例を示した図である。
【図５】本発明によるキムチ冷蔵庫の操作パネルの操作例によるディスプレイ部に表示される機能選択情報の例を示した図である。
【符号の説明】
【００５３】
１    操作パネル
２    固定ディスプレイ部
３    入力キー
５    ＬＥＤ
１１  操作パネル部
１３  本体
３０  機能選択制御部
３１  キー入力部
３３  ディスプレイ部
３５  第１貯蔵手段
３７  第２貯蔵手段
３９  音声出力部
【図１】
2004333111.tif 000003
【図２】
2004333111.tif 000004
【図３】
2004333111.tif 000005
【図４】
2004333111.tif 000006
【図５】
2004333111.tif 000007